(57)【要約】【課題】密封されたシリコンオイル容器内の内圧を低くすることで、外部環境の変化があっても内圧が外気圧より高くなりにくくし、封止部が破壊されることを防止できるシリコンオイル供給装置を提供することにある。【解決手段】シリコンオイル３を収容するシリコンオイル容器２を備えた、複写機・プリンタに使用するシリコンオイル供給装置１において、前記シリコンオイル容器２を輸送・保管時には封止部材６によって封止しかつ前記シリコンオイル容器２内部の気圧を負圧状態に保持する。【選択図】　　　　図１
2004126149.tif 000002
【特許請求の範囲】
【請求項１】
シリコンオイルを収容するシリコンオイル容器を備えた、複写機・プリンタに使用するシリコンオイル供給装置において、前記シリコンオイル容器を輸送・保管時には封止部材によって封止しかつ前記シリコンオイル容器内部の気圧を負圧状態に保持することを特徴とするシリコンオイル供給装置。
【請求項２】
前記シリコンオイル容器の前記内部の負圧状態は、前記シリコンオイル容器内の空気を中空針体で抜くことによって達成されることを特徴とする請求項１記載のシリコンオイル供給装置。
【請求項３】
前記中空針体用の針穴がシリコン系接着剤に設けられることを特徴とする請求項２記載のシリコンオイル供給装置。
【発明の詳細な説明】
【０００１】
【発明の属する技術分野】
本発明は、複写機、プリンタ等に搭載される、封止部材を有するシリコンオイル容器を備えたシリコンオイル供給装置に関するものである。
【０００２】
【従来の技術】
従来、複写機、プリンタ等の定着ユニットに搭載される、シリコンオイル塗布機構のシリコンオイル供給装置においては、輸送・保管時、シリコンオイル漏れを防止するためにシリコンオイル容器が密封されていなければならない。図６は従来のシリコンオイル供給装置を示す断面図である。
【０００３】
図６において、シリコンオイル供給装置１に使用する、シリコンオイル３を密閉するためのシリコンオイル容器２はこのシリコンオイル容器２の大気開放穴７に取り付けられた封止部材６を備えている。シリコンオイル容器２の開口部５にはシリコン系接着剤８で固定された塗布パッド４が配置されている。
【０００４】
複写機、プリンタ等の定着ユニットへの搭載時は開封し、輸送・保管時は密封しなければならない封止部材６には、外部へのシリコンオイル供給窓９が設けられ、シリコンオイル容器２には、定着ユニット内の温度上昇によって膨張する内部空気を逃がすための大気開放穴７がある。
【０００５】
【発明が解決しようとする課題】
従来、複写機、プリンタ等の定着ユニットに搭載される、シリコンオイル塗布機構のシリコンオイル供給装置においては、輸送・保管時にオイル漏れを防止するためにシリコンオイル容器は密封されていなければならない。実機搭載時は開封し、輸送・保管時は密封しなければならない封止部は、外部へのオイル供給窓や定着ユニット内の温度上昇によって膨張する内部空気を逃がすための大気開放穴などである。
【０００６】
このような密封されたシリコンオイル容器は、輸送・保管中の外気温の上昇等があると、このシリコンオイル容器内部にある空気が膨張し、内部圧力が上昇することがある。このときに強固な部材で封止されていれば問題無いが、脆弱な部材で封止すると内部圧力の上昇に負けて封止部が破壊されてしまう。
【０００７】
例えば、両面テープの接着力によって封止したシリコンオイル容器は、このシリコンオイル容器内部の気圧の上昇で両面テープの接着が剥がれ、オイル漏れを発生させる原因となる。
【０００８】
本発明の目的は、密封されたシリコンオイル容器内の内圧を低くすることで、外部環境の変化があっても内圧が外気圧より高くなりにくくし、封止部が破壊されることを防止できるシリコンオイル供給装置を提供することにある。
【０００９】
【課題を解決するための手段】
前記の課題を解決するために、請求項１記載の発明では、シリコンオイルを収容するシリコンオイル容器を備えた、複写機・プリンタに使用するシリコンオイル供給装置において、前記シリコンオイル容器を輸送・保管時には封止部材によって封止しかつ前記シリコンオイル容器内部の気圧を負圧状態に保持するシリコンオイル供給装置を最も主要な特徴とする。
【００１０】
請求項２記載の発明では、請求項１記載のシリコンオイル供給装置において、前記シリコンオイル容器の前記内部の負圧は、前記シリコンオイル容器内の空気を中空針体で抜くことによって達成されることを主要な特徴とする。
【００１１】
請求項３記載の発明では、請求項２記載のシリコンオイル供給装置において、前記中空針体用の針穴がシリコン系接着剤に設けられることを主要な特徴とする。
【００１２】
【発明の実施の形態】
以下、図面により本発明の実施の形態を詳細に説明する。図１は本発明の実施の形態に係るシリコンオイル供給装置をシリコンオイル容器の内部空気抜き出し状態において示す断面図である。シリコンオイル供給装置１はシリコンオイル３を密閉するためのＰＥＳ材からブロー成型によって作られたシリコンオイル容器２を備えている。このシリコンオイル容器２はその大気開放穴７に取り付けられた封止部材６および開口部５にシリコン系接着剤８で固定される塗布パッド４から構成されている。
【００１３】
図２は図１の塗布パッドの構造を示す拡大断面図である。図において、塗布パッド４は厚さ２ｍｍの耐熱性フェルト１１を耐熱性フィルム１２で挟み込んで接着した構造である。耐熱性フィルム１２はシリコンオイル塗布ローラ（図示せず）にシリコンオイル３を供給するための供給窓１３が開いており、この供給窓１３には輸送・保管時のシリコンオイル漏れを防止するための保護シート１４を両面テープで貼って封止している。
【００１４】
図３は、図２に示した塗布パッドを、保護シートまたは保護フィルム１４を剥がした状態で取り付けているシリコンオイル容器を示す斜視図である。塗布パッド４はシリコンオイル容器２の開口部５に挿入され、シリコン系接着剤８で固定されている。７は大気開放穴である。
【００１５】
図４はブロー成形した図３のシリコンオイル容器の開口部の形状を示す断面図である。図に示すごとく、シリコンオイル容器２の上方には鼎形状の開口部５が設けてある。
【００１６】
図５はブロー成形後２次加工した図３に示したシリコンオイル容器の斜視図である。図４および図５において、シリコンオイル容器２の開口部５は図４に示す断面形状を有し、全体の形状は図５に示すようにシリコンオイル容器２の上方に長手方向全体にわたって突出している。
【００１７】
シリコンオイル３を密閉するためのシリコンオイル容器２はＰＥＳ材からブロー成型によって製造される。このシリコンオイル容器２はシリコン系接着剤８等を包括保持するための開口部５を備え、また、大気開放穴７を二次加工により作ってある。
【００１８】
このように構成されたシリコンオイル供給装置１において、シリコンオイル容器２の大気開放穴７からシリコンオイル３を注入する。大気開放穴７を両面テープ付きの封止部材（ＰＥＴフィルム）６で封止する。
【００１９】
次に、図１に示したように、接着剤８の針穴８ａに、中空針体、例えば、注射器１５の針１６を刺し込み、シリコンオイル容器２と塗布パッド４の間に挿入する。針１６の先端がシリコンオイル容器２の内部の空気に触れるまで刺し込み、シリコンオイル容器２内の空気を抜く。
【００２０】
針穴８ａは弾力性のあるシリコン系接着剤８にあるため、針を抜いた後は自然に穴が閉じる。このため針穴８ａからシリコンオイル容器２内部のオイルや空気が漏れることは無い。本発明は密封されたシリコンオイル容器２内の気圧を低くすることで、外気温の上昇や外気圧の変化があっても、内圧が外気圧より高くなりにくくなっている。
【００２１】
上述のごとく製造されたこのシリコンオイル供給装置１は複写機・プリンタ搭載時には保護シート１４を剥がして使用する（図３）。耐熱性フェルト１１の毛細管現象によりシリコンオイル３を吸い上げ、供給窓１３で耐熱性フェルト１１に接触しているオイル塗布ローラ（図示せず）にシリコンオイルを供給する。
【００２２】
この様にして製造されたシリコンオイル供給装置１は常温でのシリコンオイル容器２の内部気圧が低いため、外気温の上昇によってシリコンオイル容器内部の空気が膨張しても保護シートの両面テープを剥がそうとする力にならない。このため高温放置時に保護シートが剥がれることが無くなり、オイル漏れを防止することができる。
【００２３】
シリコンオイル容器内の空気を抜いた量と高温放置時のオイル漏れが発生する温度の関係を下表に示す。
【００２４】
【表１】
2004126149.tif 000003
【００２５】
【発明の効果】
以上説明したように、請求項１によれば、密封されたシリコンオイル容器内の気圧を低くすることで、温度変化や外気圧の変化があっても、内圧が外気圧より高くなりにくくなっている。このため封止部材が破壊されることがなく、輸送・保管中のシリコンオイル漏れを防止することができる。
【００２６】
請求項２によれば、密封されたシリコンオイル容器内の気圧を簡単に負圧にすることができ、それによって封止部材が破壊されることがなく、輸送・保管中のシリコンオイル漏れを防止することができる。
【００２７】
請求項３によれば、針穴が自然消滅するので、輸送・保管中のシリコンオイル漏れを防止することができる。
【図面の簡単な説明】
【図１】本発明の実施の形態に係るシリコンオイル供給装置をシリコンオイル容器の内部空気抜き出し状態において示す断面図である。
【図２】図１の塗布パッドの構造を示す拡大断面図である。
【図３】図２に示した塗布パッドを、保護シートを剥がした状態で取り付けているシリコンオイル容器を示す斜視図である
【図４】ブロー成形した図３のシリコンオイル容器の開口部の形状を示す断面図である。
【図５】ブロー成形後２次加工した図３に示したシリコンオイル容器の斜視図である。
【図６】従来のシリコンオイル供給装置を示す断面図である。
【符号の説明】
１　シリコンオイル供給装置
２　シリコンオイル容器
３　シリコンオイル
６　封止部材
８　シリコン系接着剤
８ａ　針穴
１６　注射器の針（中空針体）
【図１】
2004126149.tif 000004
【図２】
2004126149.tif 000005
【図３】
2004126149.tif 000006
【図４】
2004126149.tif 000007
【図５】
2004126149.tif 000008
【図６】
2004126149.tif 000009